(57)【特許請求の範囲】
【請求項１】
組み立てられた複数個の建物ユニットと、最上階の建物ユニットの上面に取り付けられた平面形状の屋根パネルと天窓ユニットとからなる天窓付きユニット建物であって、前記建物ユニットは、矩形状の四隅に立設された柱と、この柱の上端部が矩形状の辺に沿って連結された天井梁とを備え、前記天窓ユニットは矩形状に組み立てられた梁を備え、この天窓ユニットが建物ユニットの相対する２本の天井梁に載せられ、天窓ユニットの相対する２本の梁と建物ユニットの相対する２本の天井梁とが固定されて天窓ユニットが屋根パネルより上方に突出されるとともに、前記屋根パネルと前記天窓ユニットの内側に断熱材が取り付けられていることを特徴とする天窓付きユニット建物。
【請求項２】
前記天窓ユニットが、矩形状の四隅に立設された柱と、矩形状の相対する辺の両側に立設されている２本の柱間の略中央に立設された棟柱と、この柱と棟柱の下端部が矩形状の辺に沿って連結された梁と、この棟柱の上端部と左右の柱の上端部とに架け渡されて取り付けられた左右の傾斜屋根とからなり、左右の傾斜屋根と梁と柱とで囲まれた妻側の壁に透明板を有する窓が設けられていることを特徴とする請求項１記載の天窓付きユニット建物。
【請求項３】
請求項１又は請求項２記載の天窓付きユニット建物の施工方法であって、前記建物ユニットと屋根パネルと天窓ユニットを工場で製造し、この建物ユニットと屋根パネルと天窓ユニットを施工現場に運搬し、施工現場で建物ユニットを組み立て、最上階の建物ユニットの上に屋根パネルと天窓ユニットを取り付けて天窓ユニットを屋根パネルより上方に突出させ、前記屋根パネルと前記天窓ユニットの内側に断熱材を取り付けることを特徴とする天窓付きユニット建物の施工方法。
【発明の詳細な説明】
【０００１】
【発明の属する技術分野】
本発明は、組み立てられた複数個の建物ユニットと、最上階の建物ユニットの上面に取り付けられた平面形状の屋根パネルと天窓ユニットとからなる天窓付きユニット建物と、この天窓付きユニット建物の施工方法に関する。
【０００２】
【従来の技術】
従来、天窓付き建物としては、種々な構造が知られている。
例えば、実公平５−２２７７３号公報に記載あるように、傾斜屋根に開口部を設け、この開口部に透光板を取り付けた天窓付き建物が知られている。
又、実公平４−５０７４６号公報に記載あるように、屋根から斜め上方向に立ち上げられた第一傾斜屋根と、反対側から斜め上方向に立ち上げられた第二傾斜屋根とからなる三角形状の屋根の一方の傾斜屋根にガラス窓を設けた天窓付き建物が知られている。
【０００３】
又、実開平２−１０３４３０号公報には、屋根の開口部に矩形状の下地枠を設け、天窓ユニットの下面にある取付枠を、この下地枠にネジ止めした天窓における位置決め構造が記載されていて、この実施例に示される天窓ユニットは、下端部に設けられた矩形状の取付枠と、この取付枠の矩形状の四隅に立設された縦枠と、この縦枠の上に取り付けられた左右の傾斜屋根と、この左右の傾斜屋根と縦枠と取付枠とで囲まれた妻側壁とからなる。そして、この傾斜屋根は、下枠材と傾斜枠材と上枠材とからなる枠と、この枠に嵌められたガラス板からなるサッシであり、妻側壁は、妻側下枠材と縦枠と傾斜枠材とからなる枠と、この枠に嵌められたガラス板からなるサッシである。
【０００４】
一方、ユニット建物は、運搬可能な一定の大きさの箱形の、且つ、内部、外部の仕上げられた建物ユニットと屋根ユニットや屋根パネルを、予め、工場で製造し、この建物ユニットと屋根ユニットや屋根パネルの複数個を施工現場に運搬し、施工現場で組み立てて建物にするものであって、現場施工期間が短く、且つ、寸法精度の良い標準化された建物に仕上がる特徴があることから、近年、多く建てられている。
【０００５】
このユニット建物に使用される建物ユニットとしては種々な構造のものが知られている。
例えば、特公昭６１−４２０６１号公報には、長方形の四隅に立設した４本の柱と、この４本の柱の上端部を長方形の辺に沿って連結した４本の天井梁と、この４本の柱の下端部を長方形の辺に沿って連結した４本の床梁とからなる建物ユニットの骨格が記載されている。
【０００６】
そして、建物ユニットは、上記骨格の相対する天井梁に天井野縁を差し渡し、この天井野縁の下面に天井面材を取り付けて天井を形成し、相対する床梁に床小梁を差し渡し、この床小梁の上に床根太を取り付け、この床根太の上に床面材を取り付けて床を形成し、外壁を設ける場所には、天井梁と床梁とに間柱を立設し、この間柱に外壁パネルや内壁パネルを取り付けて外壁を形成したものである。
【０００７】
又、ユニット建物に使用される多くの屋根パネルは、平面形状の屋根材を建物ユニットに取り付け易いようにしたものであり、屋根ユニットの多くは、傾斜屋根を有するものである。
このユニット建物においても天窓を設けることがある。
【０００８】
【発明が解決しようとする課題】
しかし、上記公報記載の天窓付き建物を平面形状の屋根パネルを備えたユニット建物に適用しようとすると、次に示す問題があることが判った。
即ち、実公平５−２２７７３号公報に記載されている傾斜屋根に天窓を設ける天窓付き建物は、傾斜屋根を備えた建物だけに適用でき、平面形状の屋根パネルを備えたユニット建物には採用できない。
【０００９】
又、実公平４−５０７４６号公報に記載されている三角形状の屋根の一方の傾斜屋根にガラス窓を設けた天窓付き建物は、平面形状の屋根パネルを取り付けたユニット建物に適用できるので、便利であるが、傾斜屋根にガラス窓を設けると、この傾斜屋根の上を流れる雨水が直接ガラス窓の上を流れるために、このガラス窓のガラス板と枠材との間の雨仕舞いを十分に行わないと、この部分から雨水が漏れるようになる。
【００１０】
しかも、このガラス板と枠材の雨仕舞いは、通常、シール材でシールしているが、当初、完全にシールしていても、天窓を長年月使用している間に、このシール材が劣化して雨水が漏れるようになることがある。
又、この天窓付き建物を積雪地に建てると、この傾斜屋根の上に積もった雪によって光が遮られて、下方の部屋が暗くなり、天窓の役目を果たさなくなるし、雪が多く積もると、雪の重りでガラス板が破損することがある。
【００１１】
実開平２−１０３４３０号公報に記載されている天窓における位置決め構造では、上記実公平４−５０７４６号公報に記載されている天窓付き建物と同様に、傾斜屋根に窓があるので、ガラス板と枠との間の雨仕舞いが不十分であると、ここから雨水が漏れるし、長年月使用している間にガラス板と枠材との間のシールが劣化してここから雨水が漏れることがあるし、積雪地に建てると、雪によって光が遮られて下方の部屋が暗くなったり、積雪の重りでガラス板が破損することがある。
【００１２】
又、傾斜屋根を備えた天窓ユニットは重いので、この天窓ユニットを設けた屋根パネルは従来の屋根パネルより機械的強度を大きくする必要があり、高価になるという問題がある。特に、積雪地に建てると、この雪と天窓の重みで建物の屋根パネルが破損することがある。
【００１３】
そこで、本発明の目的は、天窓ユニットを取り付けても屋根パネルを特別に補強する必要がなく、長年月使用していても雨水が漏れることのなく、積雪地に建てても、下方の部屋が暗くならないし、透明板が割れるとのない天窓付きユニット建物と、この天窓付きユニット建物にする天窓付きユニット建物の施工方法を提供することである。
【００１４】
【課題を解決するための手段】
本発明は上記目的を達成するためになしたものであって、請求項１記載の発明は、組み立てられた複数個の建物ユニットと、最上階の建物ユニットの上面に取り付けられた平面形状の屋根パネルと天窓ユニットとからなる天窓付きユニット建物であって、前記建物ユニットは、矩形状の四隅に立設された柱と、この柱の上端部が矩形状の辺に沿って連結された天井梁とを備え、前記天窓ユニットは矩形状に組み立てられた梁を備え、この天窓ユニットが建物ユニットの相対する２本の天井梁に載せられ、天窓ユニットの相対する２本の梁と建物ユニットの相対する２本の天井梁とが固定されて天窓ユニットが屋根パネルより上方に突出されるとともに、前記屋根パネルと前記天窓ユニットの内側に断熱材が取り付けられている。
【００１５】
この請求項１記載の発明では、天窓ユニットの相対する２本の梁と建物ユニットの相対する２本の天井梁とが固定されているが、これは、天窓ユニットの相対する２本の梁と建物ユニットの２本の梁とが少なくとも１箇所ずつ固定されていればよく、その他の箇所で固定されていてもよい。
例えば、相対する天井梁が１箇所以上で固定されていてもよいし、相対する天井梁の他に相対する天井梁以外の箇所で固定されていてもよい。
【００１６】
又、この請求項１記載の天窓ユニットは、矩形状に組み立てられた梁を備えているが、その他は適宜でよいが、請求項２記載のようにすれば、天窓に雨水が直接かからなくなり、シールがし易くなるし、積雪地に建てて、雪が積もっても、下方の部屋が暗くならないし、雪の重みで窓に取り付けられたガラス板等の透明板が破損しないので好ましい。
【００１７】
即ち、請求項２記載の発明は、請求項１記載の発明に係り、前記天窓ユニットが、矩形状の四隅に立設された柱と、矩形状の相対する辺の両側に立設されている２本の柱間の略中央に立設された棟柱と、この柱と棟柱の下端部が矩形状の辺に沿って連結された梁と、この棟柱の上端部と左右の柱の上端部とに架け渡されて取り付けられた左右の傾斜屋根とからなり、左右の傾斜屋根と梁と柱とで囲まれた妻側の壁に透明板を有する窓が設けられているものである。
【００１８】
この請求項２記載の発明における窓は、開閉自在な窓でもよいし、嵌め殺しの窓であってもよい。
【００１９】
請求項３記載の発明は、請求項１又は請求項２記載の天窓付きユニット建物の施工方法であって、前記建物ユニットと屋根パネルと天窓ユニットを工場で製造し、この建物ユニットと屋根パネルと天窓ユニットを施工現場に運搬し、施工現場で建物ユニットを組み立て、最上階の建物ユニットの上に屋根パネルと天窓ユニットを取り付けて天窓ユニットを屋根パネルより上方に突出させ、前記屋根パネルと前記天窓ユニットの内側に断熱材を取り付けるものである。
【００２０】
（作用）
請求項１記載の発明では、組み立てられた複数個の建物ユニットと、最上階の建物ユニットの上面に取り付けられた平面形状の屋根パネルと天窓ユニットとからなる天窓付きユニット建物であって、前記建物ユニットは、矩形状の四隅に立設された柱と、この柱の上端部が矩形状の辺に沿って連結された天井梁とを備え、前記天窓ユニットは矩形状に組み立てられた梁を備え、この天窓ユニットが建物ユニットの相対する２本の天井梁に載せられ、天窓ユニットの相対する２本の梁と建物ユニットの相対する２本の天井梁とが固定されているので、この天窓ユニットの荷重は、直接、機械的強度の大きい建物ユニットの天井梁にかかり、屋根パネルに荷重がかからない。
【００２１】
従って、この天窓ユニットが重くても屋根ユニットを特別に補強する必要がないし、この天窓付きユニット建物を積雪地に建てても、この積雪地における雪や天窓ユニットの重みで屋根パネルが破損しない。
【００２２】
請求項２記載の発明では、請求項１記載の発明に係り、前記天窓ユニットが、矩形状の四隅に立設された柱と、矩形状の相対する辺の両側に立設されている２本の柱間の略中央に立設された棟柱と、この柱と棟柱の下端部が矩形状の辺に沿って連結された梁と、この棟柱の上端部と左右の柱の上端部とに架け渡されて取り付けられた左右の傾斜屋根とからなり、左右の傾斜屋根と梁と柱とで囲まれた妻側の壁に透明板を有する窓が設けられているので、左右の傾斜屋根の下方にある妻側の壁に設けられている窓に雨水が直接かからないし、この天窓付きユニット建物を積雪地に建てても、この窓が雪で覆われないし、窓に雪の荷重がかからない。
【００２３】
従って、天窓ユニットの窓の枠とガラス板等の透明板との間のシールを通常の窓の枠とガラス板との間のシールと略同じにすればよいし、この窓のガラス板等の透明板と枠との間のシールが劣化しても、ここから雨水が漏れないので、長期間使用することができる。
又、この天窓付きユニット建物を積雪地に建てても、雪の荷重によってガラス板等の透明板が破損することがないし、ガラス板等の透明板が雪に覆われず下方の部屋が暗くならない。
【００２４】
又、四隅に立設された柱によって支持されている傾斜屋根は屋根パネルより上方に突出した状態になり、その結果、この天窓ユニットの場所は、部分的に吹き抜け空間となる。従って、この天窓ユニットが取り付けられた下方の部屋が広々とした空間となり、居住性がよくなる。
【００２５】
請求項３記載の発明では、建物ユニットと屋根パネルと天窓ユニットを工場で製造するので、設備の整った工場で製造した建物ユニットや屋根パネルや天窓ユニットは、容易に製造できるし、精度よく仕上げることができるし、雨水に対するシールも完全にすることができる。
【００２６】
又、この請求項３記載の天窓付きユニット建物の施工方法は、建物ユニットと屋根パネルと天窓ユニットを施工現場に運搬し、施工現場で建物ユニットを組み立て、最上階の建物ユニットの上に屋根パネルと天窓ユニットを取り付けるので、施工現場では、単に、建物ユニットを組み立てたり、天窓ユニットや屋根パネルを取り付けるだけであり、現場施工工数が少なく、そのため、現場施工期間が短くなり、ユニット建物の特徴を十分発揮することができる。
【００２７】
【発明の実施の形態】
次に、本発明の実施の形態を実施例で説明する。
図１〜図１０は本発明の一実施例を示すもので、図１は天窓付きユニット建物の斜視図、図２は図１のＡ−Ａ線における断面図、図３は図２のＢ−Ｂ線における断面図、図４は２階の間取りを示す平面図、図５は建物ユニットを示す一部切欠斜視図、図６は屋根パネルを示す斜視図、図７は天窓ユニットの骨格を組み立てている状態を示す斜視図、図８は天窓ユニットに垂木を取り付け、外壁やサッシを取り付けている状態を示す斜視図、図９は完成した天窓ユニットを示す斜視図、図１０（イ）は建物ユニットに天窓ユニットを取り付けている状態を示す斜視図、（ロ）は（イ）のＢ部分を拡大して示す斜視図である。
【００２８】
図１〜図１０において、Ｕは天窓付きユニット建物であり、この天窓付きユニット建物Ｕは、図１に示すように、基礎９９の上に、桁の長さが略５．４ｍの建物ユニット１−１が２個と、桁の長さが略４．５ｍの建物ユニット１−２が３個と、桁側の長さが略３．６ｍの建物ユニット１−３が２個、合計７個の建物ユニット１が据え付けられて１階が形成され、この１階の７個の建物ユニットの中の桁の長さが略４．５ｍの建物ユニット１−２の上にバルコニーユニット２が据え付けられ、その他の６個の建物ユニット１の上に略同じ大きさの建物ユニット１が据え付けられ、建物ユニット１−１の外側に張り出しバルコニーユニット２５が取り付けられて２階が形成され、この２階の６個の建物ユニット１の中の桁の長さが略４．５ｍの建物ユニット１−２の上に天窓ユニット３が取り付けられ、その他の５個の建物ユニットの上に略同じ大きさの屋根パネル４が取り付けられたものである。
【００２９】
この天窓付きユニット建物Ｕの２階の内部空間Ｍには、図４に示すように、寝室Ｍ１、２個の子供部屋Ｍ２、廊下Ｍ３、便所Ｍ４、風呂Ｍ５、洗面所Ｍ６、物置Ｍ７、納戸Ｍ８、階段Ｍ９が設けられている。
そして、寝室Ｍ１からバルコニーユニット２の上に出入できるようになっているし、２個の子供部屋Ｍ２から張り出しバルコニーユニット２５の上に出入できるようになっている。
【００３０】
この天窓付きユニット建物Ｕを構成する桁の長さが略５．４ｍの建物ユニット１−１、桁の長さが略４．５ｍの建物ユニット１−２、桁側の長さが略３．６ｍの建物ユニット１−３は、桁の長さが異なるだけであって、構造が略同じであるので、これ等を総称する際には、建物ユニット１で表す。
【００３１】
この建物ユニット１は、図５に示すように、長方形の四隅に立設した４本の鋼製四角筒状の柱１１と、この４本の柱１１の下端部を長方形の辺に沿って連結した４本の鋼製断面コ字形長尺体の床梁１２と、この４本の柱１１の上端部を長方形の辺に沿って連結した４本の鋼製断面コ字形長尺体の天井梁１３とからなる骨格を有する。
【００３２】
そして、建物ユニット１は、この骨格の相対する床梁１２に鋼製四角筒状の床小梁１４を差し渡し、この床小梁１４の上に木製の床根太１５を取り付け、この床根太１５の上にパーチクルボードの床面材１６を取り付けて床を形成し、相対する天井梁１３に木製の天井野縁１７を差し渡して取り付け、この天井野縁１７の下面に石膏ボードの天井面材１８を取り付けて天井を形成したものである。又、外壁を設ける場所には、床梁１２と天井梁１３とに間柱１９を差し渡し、この間柱１９に外壁パネルと内壁パネルを取り付け、この外壁パネルと内壁パネルとの間にグラスウールの断熱材を取り付けて、外壁を形成している。
【００３３】
又、最上階の建物ユニット１には、図２や図３に一部を示すように、グラスウールの断熱材９５が天井面材１８の上に設けられている。
又、後述の天窓ユニット３が取り付けられる最上階の建物ユニット１には、図２に示すように、天窓ユニット３を取り付ける位置にある天井野縁１７が切り取られ、この切り取りによって形成された開口の周囲には、補強天井野縁１７−１が設けられている。従って、開口の左右にある天井野縁１７は天井梁１３と補強天井野縁１７−１とに差し渡された状態になっている。
【００３４】
天窓ユニット３を取り付ける建物ユニット１以外の建物ユニット１の上に取り付ける屋根パネル４は、図６に示すように、鉄筋が埋設された複数枚のＡＬＣ板４１を並べ、周囲に設けられた断面コ字形長尺体の枠４２で固定されたものである。
【００３５】
天窓ユニット３は、図７〜９に示すように、矩形状の四隅に立設された柱５１と、矩形状の相対する辺の両側に立設されている２本の柱５１間の略中央に立設された棟柱５２と、この柱５１と棟柱５２の下端部を矩形状の辺に沿って連結された梁５３と、この棟柱５２の上端部と左右の柱５１の上端部とに架け渡されて取り付けられた左右の傾斜屋根６とからなり、左右の傾斜屋根６と梁５３と柱５１とで囲まれた一方の妻側の壁７に透明板７２を有する窓７１が設けられ、他方の妻側の壁７には、図８に示すように、外壁面材７７が設けられている。
【００３６】
又、この天窓ユニット３の両側には、屋根パネル９が取り付けられて、全体が建物ユニット１の水平面と略同じ大きさになっている。
バルコニーユニット２と張り出しバルコニーユニット２５は、従来と略同じであかるので、説明を省略する。
【００３７】
次に、この天窓付きユニット建物Ｕの施工方法及び作用について説明する。
工場で、建物ユニット１、屋根パネル４、天窓ユニット３を製造する。
この際の天窓ユニット３の製造方法について説明する。
この天窓ユニット３の製造方法は、図７に示すように、４本の柱５１を矩形の四隅に立設させ、矩形状の辺の両側に立設けされている２本の柱５１間の略中央に棟柱５２を立設させ、この柱５１と棟柱５２の下端部を矩形の辺に沿って梁５３を連結して骨格５を製造する。
【００３８】
そして、この相対する辺の両側に立設されている柱５１の両側には、長辺の長さが、この天窓ユニット３を取り付ける建物ユニット１−２の長辺の長さと略同じになるように、屋根パネル９の骨格となる延長梁５４を設ける。
尚、この実施例では、柱５１や棟柱５２に梁５３や延長梁５４を取り付けたが、梁５３と延長梁５４で形成される梁を一体な梁とし、この梁の上に柱５１や棟柱５２を立設してもよい。
【００３９】
そして、この４本の柱５１と２本の棟柱５２の下端部に取付金具８を取り付ける。
そして、両側の相対する延長梁５４には、小梁５５を２本ずつ差し渡して取り付ける。
又、柱５１と棟柱５２の間に束５６を１本ずつ、合計４本立設する。
【００４０】
又、棟柱５２の上端部と束５６の上端部と柱５１の上端部とに差し渡して流れ梁５７を取り付ける。又、棟柱５２と束５６との間に略平行な補強材５７−１と、流れ梁５７の下側に補強材５７−２を取り付けて補強する。
又、両側の棟柱５２の上端部を棟梁５８で連結し、両側の柱５１の上端部を軒梁５９で連結する。又、両側の束５６の上端部を屋根補強材５９−１で連結して補強する。
【００４１】
そして、図８に示すように、流れ梁５７の上や、棟梁５８と屋根補強材５９−１と軒梁５９の上に垂木６１を架け渡して取り付け、この上に、図９に示すように、野地板６２を取り付けて傾斜屋根６を形成する。
又、図８に示すように、延長梁５４や小梁５５の上に、図示しない根太を取り付け、この根太の上に屋根板９１を取り付けて、天窓ユニット３の両側に平面形状の屋根パネル９を設ける。
尚、この実施例では、天窓ユニット３と屋根９とが一体になっているが、別々になっていてもよい。
【００４２】
又、左右の傾斜屋根６と梁５３と柱５１とで囲まれた一方の妻側の壁７には、ガラス板の透明板７２を有する窓７１と、この窓７１の下側の下側外壁板７３と、窓７１の上側の上側外壁板７４と、窓７１の両側の側外壁板７５とを取り付け、更に、下側外壁板７３の下側には水切り６７を取り付ける。又、他方の妻側の壁７には、外壁面材７７を取り付ける。
又、傾斜屋根６の下側には、壁板６８を取り付け、この壁板６８の下側には、図示しない水切りを取り付ける。
【００４３】
又、図９に示すように、傾斜屋根６の下側に破風板６９を取り付ける。
建物ユニット１や屋根パネル４の製造方法は従来と略同じであるので説明を省略する。
このようにして製造した建物ユニット１、屋根パネル４、天窓ユニット３を施工現場に運搬する。
【００４４】
施工現場では、予め設けられている基礎９９の上に、建物ユニット１−１を２個、建物ユニット１−２を３個、建物ユニット１−３を２個据え付けて１階を形成し、この１階の建物ユニット１−２の上にバルコニーユニット２を据え付け、その他の６個の建物ユニット１の上に略同じ大きさの建物ユニット１を据え付け、建物ユニット１−１の横に張り出しバルコニーユニット２５を取り付けて２階を形成し、この２階の建物ユニット１−２の上に天窓ユニット３を取り付け、その他の５個の建物ユニット１の上に略同じ大きさの屋根パネル４を取り付け、この屋根パネル４の上に防水シート４５を取り付けたり、天窓ユニット３の傾斜屋根６の上に防水シート６４を取り付ける。
【００４５】
このときの天窓ユニット３の取付方法について説明する。
天窓ユニット３を、図１０（イ）に示すように、建物ユニット１−２の上に載せ、天井梁１３の通孔から取付金具８の下板８１に設けられている通孔８２に通したボルト８５と、このボルト８５に螺入したナット８６で、天窓ユニット３を建物ユニット１−２に取り付ける。
【００４６】
そして、図３に示すように、内側にグラスウールの断熱材９５を取り付け、この内側から建物ユニット１の天井面材１８に石膏ボードの天井面材９６を取り付け、傾斜屋根６の上に防水シート６４を取り付けると、天窓ユニット３の取付作業が終了する。
この屋根パネル４が取り付けられている屋根の周囲に軒先化粧材４９を取り付ける。
又、建物ユニット１の内部空間Ｍの中に間仕切りや住宅設備等を取り付けたりして、種々な部屋を形成する。
【００４７】
例えば、２階の内部空間Ｍに間仕切りや住宅設備等を完成させて、図２に示すように、寝室Ｍ１、２個の子供部屋Ｍ２、廊下Ｍ３、便所Ｍ４、風呂Ｍ５、洗面所Ｍ６、物置Ｍ７、納戸Ｍ８、階段Ｍ９を設ける。
その他種々な仕上げを行うと天窓付きユニット建物Ｕが完成する。
【００４８】
このように、建物ユニット１と屋根パネル４と天窓ユニット３を工場で製造するので、設備の整った工場で製造した建物ユニット１も屋根パネル４も天窓ユニット３は、容易に製造できるし、精度よく仕上げることができるし、雨水に対するシールを完全にすることができる。
【００４９】
又、この建物ユニット１と屋根パネル４と天窓ユニット３を施工現場に運搬し、施工現場で建物ユニット１を組み立て、最上階の建物ユニット１の上に屋根パネル４と天窓ユニット３を取り付けるので、施工現場では、単に、建物ユニット１を組み立てたり、天窓ユニット３や屋根パネル４を取り付けるだけであり、現場施工工数が少なく、そのため、現場施工期間が短くなり、ユニット建物の特徴を十分に発揮させることができる。
【００５０】
このようにして完成した天窓付きユニット建物Ｕでは、天窓ユニット３が建物ユニット１の相対する２本の天井梁１３に載せられ、天窓ユニット３の相対する２本の梁５３と建物ユニット１の相対する２本の天井梁１３とがそれぞれ３箇所ずつ固定金具８で固定されているので、この天窓ユニット３の荷重は、直接、機械的強度の大きい建物ユニット１の天井梁１３にかかり、屋根パネル４、９にかからない。
【００５１】
従って、この天窓ユニット３が重くても屋根パネル４、９を特別補強する必要がないし、積雪地に建てても、この積雪地における雪と天窓ユニット４の重みで屋根パネル４が破損しない。
又、左右の傾斜屋根６と梁５３と柱５１とで囲まれた妻側の壁７にガラス板７２を有する窓７１が設けられているので、この左右の傾斜屋根６の下方にある妻側の壁７に設けられている窓７１に雨水が直接かからないし、この天窓付きユニット建物Ｕを積雪地に建てても、この窓７１が雪で覆われないし、窓７１に雪の荷重がかからない。
【００５２】
従って、天窓ユニット３の窓７１の枠とガラス板７２との間のシールを通常の窓の枠とガラス板との間のシールと略同じにすることできるし、窓７１のガラス板７２と枠との間のシールが劣化しても、ここから雨水が漏れることがないし、この天窓付きユニット建物Ｕを積雪地に建てても、雪の荷重によってガラス板７２が破損することがないし、ガラス板７２が雪が覆われて下方の部屋の寝室Ｍ１が暗くならない。
【００５３】
又、四隅に立設された柱５１によって傾斜屋根６が屋根パネル４より上方に突出した状態になり、この天窓ユニット３の場所は、部分的に吹き抜け空間となる。その結果、この天窓ユニット３が取り付けられた下方の寝室Ｍ１が広々とした空間となり、居住性がよくなる。
【００５４】
【発明の効果】
請求項１記載の発明は、組み立てられた複数個の建物ユニットと、最上階の建物ユニットの上面に取り付けられた平面形状の屋根パネルと天窓ユニットとからなる天窓付きユニット建物であって、前記建物ユニットは、矩形状の四隅に立設された柱と、この柱の上端部が矩形状の辺に沿って連結された天井梁とを備え、前記天窓ユニットは矩形状に組み立てられた梁を備え、この天窓ユニットが建物ユニットの相対する２本の天井梁に載せられ、天窓ユニットの相対する２本の梁と建物ユニットの相対する２本の天井梁とが固定されているから、この天窓ユニットの荷重は、直接、機械的強度の大きい建物ユニットの天井梁にかかり、屋根パネルにかからない。
【００５５】
従って、この天窓ユニットが重くても屋根ユニットを特別に補強する必要がないし、この天窓付きユニット建物を積雪地に建てても、この積雪地における雪と天窓ユニットの重みで屋根パネルが破損することがない。
【００５６】
請求項２記載の発明は、請求項１記載の発明に係り、前記天窓ユニットが、矩形状の四隅に立設された柱と、矩形状の相対する辺の両側に立設されている２本の柱間の略中央に立設された棟柱と、この柱と棟柱の下端部が矩形状の辺に沿って連結された梁と、この棟柱の上端部と左右の柱の上端部とに架け渡されて取り付けられた左右の傾斜屋根とからなり、左右の傾斜屋根と梁と柱とで囲まれた妻側の壁に透明板を有する窓が設けられているから、左右の傾斜屋根の下方にある妻側の壁に設けられている窓に雨水が直接かからないし、この天窓付きユニット建物を積雪地に建てても、この窓が雪で覆われないし、窓に雪の荷重がかからない。
【００５７】
従って、天窓ユニットの窓の枠とガラス板等の透明板との間のシールを通常の窓の枠とガラス板との間のシールと略同じようにしても雨水が漏れないし、この窓のガラス板等の透明板と枠との間のシールが劣化しても、ここから雨水が漏れることがなく、長期間使用することができるし、この天窓付きユニット建物を積雪地に建てても、雪の荷重によってガラス板等の透明板が破損することがないし、ガラス板等の透明板が雪に覆われず下方の部屋が暗くならない。
【００５８】
又、四隅に立設された柱によって支持されている傾斜屋根は屋根パネルより上方に突出した状態になり、この天窓ユニットの場所は、部分的に吹き抜け空間となる。その結果、この天窓ユニットが取り付けられた下方の部屋が広々とした空間となり、居住性がよくなる。
【００５９】
請求項３記載の発明は、建物ユニットと屋根パネルと天窓ユニットを工場で製造するから、設備の整った工場で製造した建物ユニットや屋根パネルや天窓ユニットは、容易に製造できるし、精度よく仕上げることができるし、雨水に対するシールを完全にすることができる。
【００６０】
又、この建物ユニットと屋根パネルと天窓ユニットを施工現場に運搬し、施工現場で建物ユニットを組み立て、最上階の建物ユニットの上に屋根パネルと天窓ユニットを取り付けるから、施工現場では、単に、建物ユニットを組み立てたり、天窓ユニットや屋根パネルを取り付けるだけであり、現場施工工数が少なくなり、そのため、現場施工期間が短くなり、ユニット建物の特徴を十分発揮することができる。
【図面の簡単な説明】
【図１】本発明の一実施例を示すもので、ユニット建物の斜視図である。
【図２】図１のＡ−Ａ線における断面図である。
【図３】図２のＢ−Ｂ線における断面図である。
【図４】２階の間取りを示す平面図である。
【図５】建物ユニットを示す一部切欠斜視図である。
【図６】屋根パネルを示す斜視図である。
【図７】天窓ユニットの骨格を組み立てている状態を示す斜視図である。
【図８】天窓ユニットに垂木を取り付け、外壁やサッシを取付けている状態を示す斜視図である。
【図９】完成した天窓ユニットを示す斜視図である。
【図１０】（イ）は建物ユニットに天窓ユニットを取り付けている状態を示す斜視図、（ロ）は（イ）のＢ部分を拡大して示す斜視図である。
【符号の説明】
Ｕ                天窓付きユニット建物
１                建物ユニット
１１              柱
１２              床梁
１３              天井梁
３                天窓ユニット
４                屋根パネル
５                天窓ユニットの骨格
５１              柱
５２              棟柱
５３              梁
６                傾斜屋根
【図１】
0003793467.tif 000002
【図２】
0003793467.tif 000003
【図３】
0003793467.tif 000004
【図４】
0003793467.tif 000005
【図５】
0003793467.tif 000006
【図６】
0003793467.tif 000007
【図７】
0003793467.tif 000008
【図８】
0003793467.tif 000009
【図９】
0003793467.tif 000010
【図１０】
0003793467.tif 000011